(57)【特許請求の範囲】
【請求項１】
着脱可能な情報記憶媒体に記録された情報を再生する情報再生装置において、
前記情報記録媒体に記録された、主情報、第１の副情報を取得するためにアクセスすべき通信ネットワーク上のサーバのアドレスを含むネットワーク参照情報、前記第１の副情報の識別情報を含む第２の副情報、及び第３の副情報を読み出す読出手段と、
前記読出手段で前記ネットワーク参照情報が読み出されたとき、当該ネットワーク参照情報に含まれる前記アドレスを基に前記サーバへアクセスして、前記第１の副情報を取得する手段と、
前記サーバから取得した前記第１の副情報を記憶する記憶手段と、
前記読出手段で前記主情報が読み出されたとき、当該主情報を再生する第１の再生手段と、
前記読出手段で前記２の副情報が読み出されたとき、前記第３の副情報と前記主情報のうちの少なくとも１つと前記記憶手段で記憶された前記第１の副情報を合成して再生する第２の再生手段と、
を具備したことを特徴とする情報再生装置。
【請求項２】
着脱可能な情報記憶媒体に記録された情報を再生する情報再生装置において、
前記情報記録媒体に記録された、主情報、放送配信される放送情報のうち取得すべき放送情報の識別情報のリスト、および再生すべき放送情報の識別情報を含む副情報を読み出す読出手段と、
放送配信される放送情報のなかから、前記読出手段で読み出された前記リストに含まれる前記識別情報をもつ放送情報を取得する手段と、
前記読出手段で前記主情報が読み出されたとき、当該主情報を再生する第１の再生手段と、
前記読出手段で前記副情報が読み出されたとき、取得された放送情報のうち当該副情報に含まれる前記識別情報に対応する放送情報を再生する第２の再生手段と、
を具備したことを特徴とする情報再生装置。
【請求項３】
着脱可能な情報記憶媒体に記録された情報を再生する情報再生装置において、
前記情報記録媒体に記録された、主情報、第１の副情報を取得するためにアクセスすべき通信ネットワーク上のサーバのアドレスを含むネットワーク参照情報および前記第１の副情報の識別情報を含む第２の副情報を読み出す読出手段と、
前記読出手段で前記ネットワーク参照情報が読み出されたとき、当該ネットワーク参照情報に含まれる前記アドレスを基に前記サーバへアクセスして、前記第１の副情報を取得する手段と、
前記サーバから取得した前記第１の副情報を記憶する記憶手段と、
前記読出手段で前記主情報が読み出されたとき、当該主情報を再生する第１の再生手段と、
前記読出手段で前記２の副情報が読み出されたとき、少なくとも前記記憶手段で記憶された前記第１の副情報を再生する第２の再生手段と、
前記読出手段で前記第２の副情報が読み出されたとき、再生のスキップを禁止する旨のフラグをセットする手段と、
を具備し、
ユーザにより再生のスキップが指示された際、前記フラグがセットされているときは再生のスキップの指示を無視することを特徴とする情報再生装置。
【請求項４】
前記読出手段は、前記記録媒体に記録された第３の副情報を読み出し、
前記第２の再生手段は、前記第３の副情報と前記主情報のうちの少なくとも１つと前記第１の副情報とを合成して再生することを特徴とする請求項３記載の情報再生装置。
【請求項５】
着脱可能な情報記憶媒体に記録された情報を再生する情報再生装置において、
前記情報記録媒体に記録された、主情報、放送配信される放送情報のうち取得すべき放送情報の識別情報のリスト、および再生すべき放送情報の識別情報を含む副情報を読み出す読出手段と、
放送配信される放送情報のなかから、前記読出手段で読み出された前記リストに含まれる前記識別情報をもつ放送情報を取得する手段と、
前記読出手段で前記主情報が読み出されたとき、当該主情報を再生する第１の再生手段と、
前記読出手段で前記副情報が読み出されたとき、取得された放送情報のうち当該副情報に含まれる前記識別子に対応する放送情報を再生する第２の再生手段と、
前記読出手段で前記副情報が読み出されたとき、再生のスキップを禁止する旨のフラグをセットする手段と、
を具備し、
ユーザにより再生のスキップが指示された際、前記フラグがセットされているときは再生のスキップの指示を無視することを特徴とする情報再生装置。
【請求項６】
着脱可能な情報記憶媒体に記録された主情報と複数の副情報を再生する情報再生装置において、
前記情報記録媒体に記録されている、前記複数の副情報のそれぞれの再生開始条件と再生終了条件を含む制御情報を読み出して記憶する記憶手段と、
前記情報記録媒体から前記主情報を読み出して再生する主情報再生手段と、
ユーザによる操作内容と前記主情報再生手段での前記主情報の再生位置とのうちのいずれか一方が前記記憶手段に記憶されたいずれかの前記再生開始条件に適合するとき、前記複数の副情報のうち当該再生開始条件をもつ副情報を前記情報記録媒体から読み出して再生する副情報再生手段と、
前記副情報再生手段での前記副情報の再生中に前記記憶手段に記憶された当該副情報の再生終了条件が検出されたとき、当該副情報の再生を終了して前記主情報再生手段での前記主情報の再生に戻る手段と、
を具備し、
前記副情報再生手段は、
前記情報記録媒体が、前記主情報と前記副情報を読み出すための所定の位置へセットされたとき、前記複数の副情報のうち、前記情報記録媒体が前記所定の位置へセットされたことを前記再生開始条件としてもつ第１の副情報を当該記録媒体から読み出して再生し、
前記主情報再生手段で任意の位置にある前記主情報を再生するとき、前記複数の副情報のうち、当該位置を前記再生開始条件としてもつ第２の副情報を前記情報記録媒体から読み出して再生することを特徴とする情報再生装置。
【請求項７】
前記主情報は、複数のタイトルのそれぞれに対応する情報を含み、
前記副情報再生手段は、前記複数のタイトルのうちの１つが選択されたとき、前記複数の副情報のうち、当該選択されたタイトルを前記再生開始条件としてもつ第３の副情報を前記記録媒体から読み出して再生することを特徴とする請求項６記載の情報再生装置。
【請求項８】
前記複数の副情報のうちの少なくとも１つの前記再生終了条件は、当該副情報の予め定められた再生時間が経過したときであることを特徴とする請求項６記載の情報再生装置。
【請求項９】
前記複数の副情報のうちの少なくとも１つの再生終了条件は、前記副情報再生手段で再生中の前記副情報から当該副情報の再生終了条件として指定されているコードが検出されたときであることを特徴とする請求項６記載の情報再生装置。
【請求項１０】
前記副情報再生手段で副情報の再生中に、ユーザにより再生のスキップが指示されたとき、その再生のスキップの指示を無視することを特徴とする請求項６記載の情報再生装置。
【請求項１１】
主情報と、副情報の再生開始条件と再生終了条件を含む制御情報と、当該副情報を取得するためにアクセスすべき通信ネットワーク上のサーバのアドレスを含むネットワーク参照情報とを含む情報が記録された、着脱可能な情報記録媒体から前記制御情報を読み出して記憶する記憶手段と、
前記情報記録媒体から主情報と前記ネットワーク参照情報を読み出す読出手段と、
前記読出手段で前記ネットワーク参照情報が読み出されたとき、当該ネットワーク参照情報に含まれる前記アドレスを基に前記サーバへアクセスして、前記副情報を取得する手段と、
前記読出手段で前記主情報が読み出されたとき、当該主情報を再生する主情報再生手段と、
ユーザによる操作内容と前記主情報再生手段での前記主情報の再生位置のうちのいずれか一方が前記記憶手段に記憶された前記再生開始条件に適合するとき、前記サーバから取得した前記副情報を再生する副情報再生手段と、
前記副情報再生手段での前記副情報の再生中に前記記憶手段に記憶された当該副情報の再生終了条件が検出されたとき、当該副情報の再生を終了して前記主情報再生手段での前記主情報の再生に戻る手段と、
を具備したことを特徴とする情報再生装置。
【請求項１２】
前記副情報再生手段は、
前記情報記録媒体が、前記主情報と前記副情報を読み出すための所定の位置へセットされたとき、前記情報記録媒体が前記所定の位置へセットされたことを前記再生開始条件としてもつ前記副情報を再生することを特徴とする請求項１１記載の情報再生装置。
【請求項１３】
前記副情報再生手段は、
前記主情報再生手段で任意の位置にある前記主情報を再生するとき、当該位置を前記再生開始条件としてもつ前記副情報を再生することを特徴とする請求項１１記載の情報再生装置。
【請求項１４】
前記主情報は、複数のタイトルのそれぞれに対応する情報を含み、
前記副情報再生手段は、前記複数のタイトルのうちの１つが選択されたとき、当該選択されたタイトルを前記再生開始条件としてもつ前記副情報を再生することを特徴とする請求項１１記載の情報再生装置。
【請求項１５】
前記副情報再生手段で前記副情報の再生中に、ユーザにより再生のスキップが指示されたとき、その再生のスキップの指示を無視することを特徴とする請求項１１記載の情報再生装置。
【発明の詳細な説明】
【０００１】
【発明の属する技術分野】
本発明は、ＤＶＤ等の情報記録媒体から情報を読み取って再生する情報再生装置に関する。
【０００２】
【従来技術】
近年、マルチメディア時代に欠くことのできないキーシステムとしてＤＶＤシステムが注目されてきてきる。ＤＶＤ（Ｄｉｇｉｔａｌ  Ｖｅｒｓａｔｉｌｅ  Ｄｉｓｃ）システムは、大容量の情報記録媒体（ＤＶＤ）に放送レベルでの高画質の映像、高品質の音声、コンピュータデータの記録再生などが可能で、映画、音楽、ゲーム、コンピュータ用など多方面での応用が期待されているマルチメディア記録再生システムである。
【０００３】
このようなＤＶＤシステムは、特に、放送レベルの高画質とマルチチャンネル音声により映画館の雰囲気をそのまま家庭に再現できることができるため、家庭への普及が大いに見込まれるが、そのためにはいろいろな条件を考慮する必要がある。
【０００４】
その第１が価格の問題である。どのように高性能であっても高価であっては普及しない。ディスクの製造性、ＩＣ技術を考慮し、できるだけ低コスト化が図れるシステムであることが望ましい。
【０００５】
【発明が解決しようとする課題】
ＤＶＤシステムの低価格化を図るため、ＤＶＤ上に映画等の主情報に、その主情報等の提供会社の広告情報等の副情報を挿入して記録することが考えられている。しかし、単純に主情報に副情報を挿入して記録するだけでは、再生時にユーザにより副情報の再生がスキップ（早送り指示操作）されてしまい、確実に副情報をユーザに提供することができないという問題点があった。
【０００６】
そこで、本発明は、ＤＶＤ等の情報記録媒体の再生時に、その情報記録媒体に記録されている映画等の主情報を補足し、あるいは、主情報提供者に関する情報といった重要な副情報（例えば、広告）を確実にユーザに提供することができ、従って、ＤＶＤシステムの普及に大きく貢献できる情報再生装置を提供することを目的とする。
【０００７】
【課題を解決するための手段】
本発明の情報再生装置（第１の実施形態）は、着脱可能な情報記憶媒体に記録された主情報と副情報を再生する情報再生装置において、
前記情報記録媒体から所定の長さ単位に主情報および副情報を読み出す読出手段と、
この読出手段で読み出された主情報および副情報を再生する情報再生手段と、
前記読出手段で読み出された所定の長さ単位の主情報および副情報には、それぞれを識別する制御コードが含まれ、この制御コードが副情報を識別するものであるとき、再生のスキップを禁止する旨のフラグをセットする手段と、
を具備し、
ユーザにより再生のスキップが指示された際、前記フラグがセットされているときは再生のスキップの指示を無視することにより、主情報を補足し、あるいは、主情報提供者に関する情報といった重要な副情報を確実にユーザに提供することができる。
【０００８】
また、本発明の情報再生装置（第２の実施形態）は、着脱可能な情報記憶媒体に記録された主情報と副情報を再生する情報再生装置において、
前記情報記録媒体に記録されている、少なくとも、副情報の再生開始条件と再生終了条件を含む制御情報を読み出して記憶する記憶手段と、
前記情報記録媒体から前記主情報を読み出して再生する主情報再生手段と、
この主情報再生手段で主情報を再生する際に、その主情報あるいはユーザからの指示内容に前記記憶手段に記憶された副情報の再生開始条件に適合するものが含まれているとき、その副情報を前記情報記録媒体から読出して再生する副情報再生手段と、
この副情報再生手段で副情報の再生中に前記記憶手段に記憶された再生終了条件が検出されたとき、その副情報の再生を終了して前記主情報の再生に戻ることにより、主情報を補足し、あるいは、主情報提供者に関する情報といった重要な副情報を確実にユーザに提供することができる。
【０００９】
また、本発明の情報再生装置（第３の実施形態）は、着脱可能な情報記憶媒体に記録された情報を再生する情報再生装置において、
前記情報記録媒体から所定の長さ単位に情報を読み出す読出手段と、
この読出手段で読み出された所定の長さ単位の情報に含まれる制御情報に基づき所定の通信ネットワークを介して副情報を取得する手段と、
前記通信ネットワークを介して取得した副情報と前記読出手段で読み出された主情報あるいは副情報を合成し、あるいは、これらのうちのいづれか１つを選択する合成選択手段と、
この合成選択手段で合成あるいは選択された情報を再生する手段と、
を具備し、
また、前記副情報の再生中に、ユーザにより再生のスキップが指示されたとき、その再生のスキップの指示を無視することにより、主情報提供者に関する情報といった重要な副情報を確実にユーザに提供することができるとともに、ディスク１の再生中に必要に応じてアップトゥデートな情報を含む広告（副情報）の表示が容易に行える。
【００１０】
また、本発明の情報再生装置（第４の実施形態）は、着脱可能な情報記憶媒体に記録された情報を再生する情報再生装置において、
前記情報記録媒体から所定の長さ単位に情報を読み出す読出手段と、
この読出手段で読み出された所定の長さ単位の情報に含まれる制御情報に基づき放送ネットワークを介して副情報を取得する手段と、
前記放送ネットワークを介して取得した副情報と前記読出手段で読み出された主情報あるいは副情報を合成し、あるいは、これらのうちのいづれか１つを選択する合成選択手段と、
この合成選択手段で合成あるいは選択された情報を再生する手段と、
を具備し、
また、前記副情報の再生中に、ユーザにより再生のスキップが指示されたとき、その再生のスキップの指示を無視することにより、主情報を補足し、あるいは、主情報提供者に関する情報といった重要な副情報（例えば、広告）を確実にユーザに提供することができるとともに、ディスク１の再生中に必要に応じてアップトゥデートな情報を含む広告（副情報）の表示が容易に行える。
【００１１】
【発明の実施の形態】
以下、本発明の実施の形態について図面を参照して説明する。
【００１２】
（第１の実施形態）
図１は、第１の実施形態に係る情報再生装置の構成を概略的に示したものである。
【００１３】
図１において、主情報源と副情報源を具備したＤＶＤ、ＣＤ−ＲＯＭ等の情報記録媒体（以下、ディスクと呼ぶこともある）１は、情報読取装置２にセットされるようになっている。
【００１４】
情報記録媒体１の情報の記録フォーマットは、図２（ａ）に示すように、一定の長さのデータユニットから構成される。データユニットは、一読取単位である。各データユニットには、図２（ｂ）に示すように２種類ある。すなわち、主情報を格納したデータユニットと副情報を格納したデータユニットである。各データユニットには、主情報と副情報を識別するための制御コードを格納する制御コード格納部と主情報データあるいは副情報データを所定の長さ単位に格納する情報格納部から構成される。
【００１５】
主情報とは、例えば、映画の内容を記述する情報であり、副情報とは、例えば映画提供企業のコマーシャル等を記述する情報である。
【００１６】
情報読取装置２は情報記録媒体１からデータユニット単位に情報を読み取ると、そのデータユニットに含まれる制御コードを制御装置３に転送するようになっている。
【００１７】
制御装置３は、情報読取装置２から転送されてきた制御コードおよび、ＧＵＩを介してのユーザの指示内容をもとに、主情報および副情報の再生制御を行うものである。
【００１８】
再生装置４は、情報読取装置２から制御装置３の制御に従って転送されてきた主情報あるいは副情報を再生し、その再生された情報は、ＧＵＩ５にて表示される。
【００１９】
図３は、情報読取装置２の構成例を概略的に示したもので、ディスク入力部２ａ、制御情報出力部２ｂ、制御情報入力部２ｃから構成される。
【００２０】
ディスク入力部２には、ディスク１がセッティングされて、読取ヘッド等により、ディスク１からデータユニット単位に情報を読み取るようになっている。
【００２１】
ディスク入力部２ａで読み取られたデータユニットに含まれる制御コードは、制御情報出力部２ｂに転送されて、ここから制御装置３に出力される。
【００２２】
制御装置３から出力された各種制御指示情報（信号）は制御情報入力部２ｃに入力されるようになっている。
【００２３】
図４は、制御装置３の構成例を概略的に示したもので、動作判定部３ａ、制御信号発生部３ｂ、スキップフラグ格納部３ｃから構成される。
【００２４】
動作判定部３ａは、情報読読取装置２から出力された制御コードを受け取り、その内容を解析して、主情報の再生、副情報の再生等の動作を判定するようになっている。
【００２５】
スキップフラグ格納部３ｃには、情報再生時にＧＵＩ５を介してユーザによりスキップの指示がなされたときに、それを実行するか否かを判断するためのフラグ、すなわち、スキップフラグが格納されている。動作判定部３ａで、制御コードが副情報コードであると判断されたときは、スキップフラグをセット（ＦＡＬＳＥ）され、主情報コードであると判断されたときはスキップフラグをリセット（ＴＲＵＥ）されるようになっている。
【００２６】
制御信号発生部３ｂは、動作判定部３ａからの指示に基づき情報読取装置２に出力する信号を発行するものである。
【００２７】
次に、図５〜図７に示すフローチャートを参照して、図１の情報再生装置の動作を説明する。
【００２８】
ユーザがディスク１を情報読取装置２の所定の位置にセットすると、ディスク入力部２ａは、ディスク１から１データユニットを読み込む（ステップＳ１）。
【００２９】
ディスク入力部２ａが読み込んだデータユニットに含まれる制御コードを制御情報出力部２ｂに転送すると（ステップＳ２）、制御情報出力部２ｂはその制御コードを制御装置３に出力する（ステップＳ３）。
【００３０】
制御装置３の動作判定部３ａで制御コードを受け取り（ステップＳ４）、その制御コードが副情報コードであるときは（ステップＳ５）、ステップＳ６に進み、スキップフラグ格納部３ｃに格納されているスキップフラグをセット（ＦＡＬＳＥ）する。一方、主情報コードのときはステップＳ７に進み、スキップフラグをリセット（ＴＲＵＥ）する。
【００３１】
その後、動作判定部３ａは、制御信号発生部３ｂに制御コードに応じた情報（主情報／副情報）の再生指示信号の発行を指示し（ステップＳ８）、制御信号発生部３ｂから情報読取装置２に対して再生指示信号が出力される（ステップＳ９）。
【００３２】
情報読取装置２の制御情報入力２ｃで再生指示信号を受け取ると（図６のステップＳ１０）、さらにディスク入力部２ａへ再生指示信号が転送され（ステップＳ１１）、ディスク入力部２ａは、先に読み取ったデータユニットに格納されていた主情報あるいは副情報を再生装置４に出力し（ステップＳ１２）、再生装置４で再生された情報がＧＵＩ５にて表示される（ステップＳ１３）。
【００３３】
以上の処理が読取装置２でデータユニットが読み取られる度に繰り返される。
【００３４】
さて、ここで、ユーザがＧＵＩ５を介して「ディスク早送り」の指示を出したときの図１の情報再生装置の動作を図７に示すフローチャートを参照して説明する。このとき、ＧＵＩ５から制御装置３に対して早送り指示が発行される。
【００３５】
制御装置３の動作判定部３ａが早送り指示を受け取ると（ステップＳ１４）、スキップフラグ格納部３ｃに格納されているスキップフラグの状態（値）をチェックし、スキップフラグが「ＴＲＵＥ」のとき、すなわち、現在、主情報が再生されているときはステップＳ１６に進み、「ＦＡＬＳＥ」のとき、すなわち、現在、副情報が再生されているときは、早送り指示を無視する。
【００３６】
動作判定部３ａが早送り指示を受け取ったとき主情報を再生している場合、動作判定部３ａは制御信号発生部３ｂに早送り指示信号の発行を指示し（ステップＳ１６）、制御信号発生部３ｂから情報読取装置２に対し早送り指示信号が出力され（ステップＳ１７）、情報読取装置２において、所定の早送り動作が実行されて、早送り情報がＧＵＩ５に表示される。
【００３７】
以上説明したように、上記第１の実施形態によれば、情報記録媒体１には、一読取単位（データユニット）毎に主情報と副情報を識別するための制御コードをも含めて記録され、情報読取装置２でそのデータユニットを読み取る度に制御装置３の動作判定部３ａでスキップフラグを更新し、情報再生時に、このスキップフラグ参照して、主情報の再生時にはユーザからの指示に応じて早送り指示を可能とし、副情報の再生時には早送り指示を無視することにより、主情報を補足し、あるいは、主情報提供者に関する情報といった重要な副情報を確実にユーザに提供することができる。
【００３８】
（第２の実施形態）
次に、第２の実施形態に係る情報再生装置について説明する。
【００３９】
第２の実施形態に係る情報再生装置の全体の構成は、図１と同様であるが、制御装置３の構成と、記録フォーマットの構成と、全体の動作が異なる。
【００４０】
図８に、第２の実施形態に係る情報再生装置で用いられる記録フォーマットの具体例を示す。
【００４１】
情報記録媒体１の情報の記録フォーマットは、図８（ａ）に示すように、制御情報の格納部と副情報データの格納部と主情報データの格納部から構成される。
【００４２】
制御情報は、例えば、（制御条件、アクション、終了条件）といった複数の条件とアクションの組からなっている。
【００４３】
アクションとは、通常の主情報・副情報の読出・再生中に発生するイレギュラルな副情報、主情報の読出・再生命令等である。
【００４４】
制御条件は、情報読取装置２あるいはＧＵＩ５を介して制御装置３へ通知される情報等から判断されるアクションの開始条件であり、例えば、情報読取装置２を介して通知された短編映画タイトル、主情報あるいは副情報中の特定の制御コード、再生中の主情報の先頭からのオフセットアドレス（フレーム番号等であってもよい）、ＧＵＩ５を介して通知された情報再生装置のＩＤまたはユーザＩＤ、ユーザからの操作指示、さらに、これらの組み合わせ等で指定される。
【００４５】
終了条件は、情報読取装置２あるいはＧＵＩ５を介して制御装置３へ通知される情報等から判断されるアクションの終了条件であり、例えば、空（「ＮＵＬＬ」）、再生中の主情報あるいは副情報中の特定の制御コード、アクション開始からの経過時間、さらに、それらの組み合わせ等で指定される。終了条件が空である場合、アクションは何時でも終了可能であるとみなされる。一方、終了条件が指定された場合、当該アクションは終了条件の成立まで終了する事が禁止されているとみなされる。
【００４６】
なお、制御情報は、主情報格納部、副情報格納部とは別個に格納されている場合に限らず、主情報あるいは副情報に制御情報が埋め込まれることもある。
【００４７】
主情報格納部に格納される主情報データは、図８（ｂ）に示すように、例えば、複数の短編映画（主情報Ａ、主情報Ｂ、主情報Ｃ、…）の集合である。また、副情報格納部に格納される副情報データは、図８（ｃ）に示すように、例えば、複数の広告情報（副情報ｘ１、副情報ｘ２、副情報ｘ３、副情報ｘ４、…）の集合である。主情報データ、副情報データ中にはアクションの開始条件あるいは終了条件となり得る制御コード（ｃｃ）が含まれている場合もある。
【００４８】
図９は、制御装置３の構成例を概略的に示したもので、動作判定部３ａ、制御信号発生部３ｂ、タイマ３ｄ、制御情報蓄積部３ｅから構成される。
【００４９】
動作判定部３ａは、情報読読取装置２から転されてきた制御情報を制御情報蓄積部３ｅに転送する。また、情報読取装置２、ＧＵＩ５を介して通知された各種情報の内容を解析するとともに、制御情報蓄積部３ｅに蓄積された制御情報に含まれる制御条件、終了条件を参照して、主情報の再生、副情報の再生、アクションの開始・終了等の動作を判定するようになっている。
【００５０】
制御情報蓄積部３ｅは、情報読取装置２でディスク１がセットされて読出動作が開始されたときに、ディスク１から読み取られた制御情報を動作判定部３ａを介して受け取り蓄積するものである。
【００５１】
タイマ３ｄは、たとえば、動作判定部３ａの判断でアクションの開始、すなわち、例えば副情報ｘ２の再生が判断されたとき、そのアクションの終了条件として、例えば、副情報ｘ２の再生時間が指定されているとき、その時間が副情報ｘ２の再生開始時に動作判定部３ａによりセットされるようになっている。
【００５２】
制御信号発生部３ｂは、動作判定部３ａからの指示に基づき情報読取装置２に出力する信号を発行するものである。
【００５３】
次に、図１０以下に示すフローチャートを参照して、第２の実施形態に係る情報再生装置の動作を説明する。
【００５４】
ここで、以下の動作の説明で用いるディスク１の制御情報格納部に格納されている制御情報の一例を示す。
【００５５】
0003561094.tif 000002
また、以下の説明において、副情報に含まれる制御コードはアクションの終了条件としてのみ用いるものとする。
【００５６】
まず、図１０に示すフローチャートにおいて、ユーザがディスク１を情報読取装置２の所定の位置にセットすると、ディスク入力部２ａは、ディスク１の制御情報格納部から制御情報を読み取る（ステップＳ２０）。
【００５７】
ディスク入力部２ａが読み取った制御情報およびユーザが行った操作を通知する情報、すなわち、例えば「ディスクセット」を制御情報出力部２ｂに転送すると（ステップＳ２１）、制御情報出力部２ｂは制御装置３に出力する（ステップＳ２２）。
【００５８】
制御装置３の動作判定部３ａで制御情報と「ディスクセット」を受け取ると（ステップＳ２３）、動作判定部３ａは、まず、制御情報蓄積部３ｅに制御情報を転送し（ステップＳ２４）、制御情報蓄積部３ｅに蓄積される（ステップＳ２５）。
【００５９】
一方、動作判定部３ａは、「ディスクセット」をキーとして、制御情報蓄積部３ｅに蓄積されている制御情報のうち、制御条件が「ディスクセット」であるものを検索する（ステップＳ２６）。
【００６０】
この「ディスクセット」というキーに対応する制御条件を有する制御情報が検出されなかったときは（ステップＳ２７）、そのまま、ユーザからの指示待ち状態になる（ステップＳ２８）。
【００６１】
ステップＳ２７で「ディスクセット」に対応する制御情報が検出されたとき、その制御情報１に含まれるアクションの内容、すなわち、副情報ｘ１の再生を実行する。このとき、まず、副情報ｘ１の記録位置とともに、動作判定部３ａは、副情報ｘ１の再生指示信号の発行指示を制御信号発生部３ｂに送る（ステップＳ２９）。
【００６２】
制御信号発生部３ｂは、副情報ｘ１の再生指示信号を副情報ｘ１の記録位置とともに情報読取装置２に出力する（ステップＳ３０）。情報読取装置２の制御情報入力部２ｃで再生指示信号を受け取ると、さらにディスク入力部２ａへ再生指示信号が転送され、ディスク入力部２ａは、指示された副情報ｘ１の記録位置から副情報ｘ１を読み取って再生装置４に出力し、再生装置４で再生された副情報ｘ１が、例えば、図１１に示すように、ＧＵＩ５にて表示される（ステップＳ３１）。
【００６３】
ＧＵＩ５に表示された副情報ｘ１の再生画面には、図１１に示すように、ディスク１に予め記録されている主情報Ａ、Ｂ、Ｃのタイトル、すなわち、「タイトル１」、「タイトル２」、「タイトル３」がそれぞれの提供企業名とともに表示されている。
【００６４】
このとき、ユーザが「タイトル１」（主情報Ａ）をマウスクリック等により選択したとする。すると、「タイトル１」の再生指示信号がＧＵＩ５を介して制御装置３の動作判定部３ａに出力される（図１２のステップＳ３２）。操作判定部３ａでは、これを受けて、例えば、制御情報１のアクションの終了とみなし（制御情報１の終了条件は「ＮＵＬＬ」であるので）、制御信号発生部３ｂに副情報ｘ１の再生中止指示信号の発生を指示し（ステップＳ３３）、制御信号発生部３ｂから情報読取装置２に再生中止指示信号を出力することにより（ステップＳ３４）、副情報ｘ１の再生を中止させて、制御情報１のアクションを終了するようにしてもよい（ステップＳ３５）。
【００６５】
さて、図１２のステップＳ３２で、動作判定部３ａが「タイトル１」の再生指示信号を受け取ると、動作判定部３ａは、「タイトル１」をキーとして、制御情報蓄積部３ｅに蓄積されている制御情報のうち、制御条件が「タイトル１」であるものを検索する（ステップＳ３６）。この「タイトル１」というキーに対応する制御条件を有する制御情報が検出されなかったときは、そのまま、ユーザからの指示通りに、動作判定部３ａは制御信号発生部３ｂに「タイトル１」（主情報Ａ）の再生指示信号の発生を指示し（ステップＳ３８）、制御信号発生部３ｂから主情報Ａの再生指示信号が情報読取装置２に出力されて（ステップＳ３９）、主情報Ａの再生が開始される（ステップＳ４０）。
【００６６】
一方、図１２のステップＳ３７で「タイトル１」に対応する制御条件を有する制御情報（制御情報２）が検出されたとき、図１３のステップＳ４１に進み、その制御情報２に含まれるアクションの内容、すなわち、副情報ｘ２の再生を実行する。このとき、まず、副情報ｘ２の記録位置とともに、動作判定部３ａは、副情報ｘ２の再生指示信号の発行指示を制御信号発生部３ｂに送る（ステップＳ４１）。制御信号発生部３ｂは、副情報ｘ２の再生指示信号を副情報ｘ２の記録位置とともに情報読取装置２に出力し（ステップＳ４２）し、前述（図１０のステップＳ３１）同様にして副情報ｘ２の再生が開始される（ステップＳ４３）。
【００６７】
このとき、制御情報２には終了条件として、副情報ｘ２の再生時間ｔ１が指定されているので、動作判定部３ａは、タイマ３ｄにｔ１をセットし（ステップＳ４４）、副情報ｘ２の再生時間の計測を開始する。
【００６８】
さて、動作判定部３ａがタイマ３ｄから再生時間ｔ１が経過した旨の通知を受けると（ステップＳ４５）、動作判定部３ａは制御信号発生部３ｂに副情報ｘ２の再生中止指示信号の発生を指示し（ステップＳ４６）、制御信号発生部３ｂから情報読取装置２に再生中止指示信号を出力することにより（ステップＳ４７）、副情報ｘ２の再生を中止させて、制御情報１のアクションを終了する（ステップＳ４８）。その後、図１２のステップＳ３８に戻り、先にユーザにより指示された「タイトル１」（主情報Ａ）の再生処理に復帰する。
【００６９】
このように、ユーザが「タイトル１」の再生を指示すると、制御情報に指定される副情報ｘ２（例えば、タイトル提供企業のＣＭ）が一定時間再生され、次いで指定されたタイトルの再生が行われることになる。
【００７０】
次に、図１４〜図１６に示すフローチャートを参照して主情報の再生処理動作（図１２のステップＳ４０）およびその主情報の再生中のアクションの開始・終了動作について詳細に説明する。
【００７１】
制御装置３の動作判定部３ａからの指示に従って制御信号発生部３ｂから出力された再生指示信号が情報読取装置２の制御情報入力部２ｃで受け取られると（ステップＳ５０）、図１０のステップＳ３１で簡単に説明したように、まず、ディスク入力部２ａは指示されたディスク１の記録位置から指示された情報データを予め定められた一定の長さ単位に読み込む（ステップＳ５１）。
【００７２】
なお、このとき、情報データの読み込みが全て終了している場合は再生処理を終了する（ステップＳ５２）。
【００７３】
そして、ディスク入力部２ａで読み込んだ所定の長さ（例えば、バイト数）の情報データ中に制御コードが含まれているか否かをチェックする（ステップＳ５３）。
【００７４】
制御コードが含まれていない場合、ディスク入力部２ａは制御情報出力部２ｂに読み込んだ情報データのオフセットアドレスと読み込みバイト数を転送し（ステップＳ５４）、制御情報出力部２ｂから制御装置３へ出力される（ステップＳ５５）。
【００７５】
制御装置３の動作判定部３ａで情報データのオフセットアドレスと読み込みバイト数を受け取ると（ステップＳ５６）、制御情報蓄積部３ｅに蓄積されている制御情報の検索を行う（ステップＳ５７）。ここでの検索は、例えば、情報読取装置２から与えられたオフセット範囲（すなわち、ディスク入力部２ａから受け取つたオフセットアドレスから、ディスク入力部２ａから受け取ったオフセットアドレスとディスク入力部２ａから受け取ったバイト数の和までの範囲）に含まれる制御条件を、制御情報蓄積部の中から探索する。
【００７６】
与えられたオフセット範囲に適合する制御条件を含む制御情報が検出されたときは（ステップＳ５８）、ステップＳ７０に進んでその制御条件に含まれるアクションの内容を実行し、適合する制御情報が検出されなかったときは（ステップＳ５８）、図１５のステップＳ５９に進み、情報読取装置２で読み込んだ情報データの再生処理動作を行う。
【００７７】
すなわち、図１５のフローチャートに示すように、動作判定部３ａは、制御信号発生部３ｂに再生信号指示信号の発行を指示し（ステップＳ５９）、制御信号発生部３ｂは再生指示信号を情報読取装置２に出力する（ステップＳ６０）。情報読取装置２の制御情報入力部２ｃで再生指示信号を受け取ると（ステップＳ６１）、さらに、ディスク入力部２ａに転送され（ステップＳ６２）、ディスク入力部２ａでは、先に読み込んだ情報データを再生装置３に出力し（ステップＳ６３）、再生画像がＧＵＩ５に表示されるようになる。
【００７８】
ディスク入力部２ａで読み込まれた情報データ中に制御条件となるような情報が含まれていない場合は、上記ステップＳ５１〜ステップＳ６３の処理を繰り返して情報再生が行われる。
【００７９】
さて、ステップＳ５８で、与えられたオフセット範囲に適合する制御条件を含む制御情報が検出されたとき、その制御条件に含まれるアクションの内容を実行するわけであるが、以下、主情報Ａの再生中に、情報読取装置２で読み込まれたデータにそのオフセット範囲に適合する制御条件、すなわち、オフセットｐ１が制御条件として含まれる制御情報３が検出された場合を例にとり説明する。
【００８０】
制御情報３のアクションの内容は、副情報ｘ３の再生であるので、動作判定部３ａは、制御信号発生部３ｂに副情報ｘ３の再生指示信号の発行指示と副情報ｘ３の記録位置を転送し（ステップＳ７０）、制御信号発生部３ｂは、副情報ｘ３の再生指示信号と副情報ｘ３の記録位置を情報読取装置２に出力し（ステップＳ７１）、副情報ｘ３の再生を開始する（ステップＳ７２）。
【００８１】
ステップＳ７２の副情報の再生処理動作は、前述のステップＳ５０〜ステップＳ６３の処理動作と同様で、この副情報ｘ３の再生中にステップＳ５３において、ディスク入力部２ａで読み込んだ所定の長さの情報データ中に制御コードが含まれていることが検出されたとする。
【００８２】
このときの動作を図１６に示すフローチャートを参照して説明する。すなわち、情報読取装置２のディスク入力部２ａから制御情報出力部２ｂに制御コードが転送され（ステップＳ８０）、さらに、制御情報出力部２ｂから制御装置３に出力される（ステップＳ８１）。
【００８３】
制御装置３の動作判定部３ａで制御コードを受け取ると（ステップＳ８２）、制御コードを終了条件あるいは制御条件とする制御情報を制御情報蓄積部３ｅから検索する（ステップＳ８３）。適合する制御情報が存在しない場合は（ステップＳ８４）、図１４のステップＳ５４に戻り、例えば、副情報ｘ３の再生を続行する（ステップＳ８５）。
【００８４】
一方、制御コードがｃｃＱ１の場合、これは、制御情報３にて指定されるアクションの終了条件であるので（ステップＳ８４）、動作判定部３ａは、制御信号発生部３ｂに副情報ｘ３の再生中止指示信号の発行を指示し（ステップＳ９０）、制御信号発生部３ｂから情報読取装置２に再生中止指示信号を出力することにより（ステップＳ９１）、副情報ｘ３の再生を中止させて、制御情報３のアクションを終了する。
【００８５】
その後、動作判定部３ａは、制御信号発生部３ｂに復帰再生指示信号の発行を指示し（ステップＳ９３）、制御信号発生部３ｂから情報読取装置２に対し復帰再生指示信号が出力されて（ステップＳ９４）、主情報Ａの再生が再開される（ステップＳ９５）。
【００８６】
ステップＳ９５では、まず、図１４のステップＳ５０に戻し、前述同様な処理動作が実行されて、主情報Ａの再生が再開される。
【００８７】
次に、情報再生中にユーザがＧＵＩ５を介して早送り指示を行った場合の処理動作について図１７に示すフローチャートを参照して説明する。
【００８８】
早送り指示は、ＧＵＩ５を介して制御装置３の動作判定部３ａにて受け取られる（ステップＳ１００）。
【００８９】
動作判定部３ａでは、実行中のアクションの終了条件が満足されているか否か、すなわち、副情報の再生中であるか否かをチェックする（ステップＳ１０１）。副情報の再生中であるときは、早送り指示を無視する（ステップＳ１０２）。
【００９０】
一方、アクションの実行中でないとき、すなわち、主情報（短編映画等）の再生中であるときは、動作判定部３ａは制御信号発生部３ｂに早送り指示信号の発行を指示し（ステップＳ１０３）、制御信号発生部３ｂから情報読取装置２に早送り指示信号が出力されて主情報の早送り再生が行われる。
【００９１】
以上説明したように、上記第２の実施形態によれば、ディスク１に記録された情報の再生開始時に、まず、アクションとして副情報の再生開始条件（制御条件）と再生終了条件等を記述した制御情報を読み出して制御装置３の制御情報蓄積部３ｅに格納しておき、制御装置３の動作判定部３ａでは、ＧＵＩ５を介して受け取られる指示情報、情報読出装置２でディスク１から読み出された情報に制御情報蓄積部３ｅに格納された副情報の再生開始条件に適合するものが含まれているとき、その副情報の再生を開始し、副情報の再生中に制御情報蓄積部３ｅに格納されている再生終了条件が検出されたとき、その副情報の再生を終了して主情報の再生に復帰することにより、アクションの制御条件と終了条件を適宜設定すれば、たとえば、短編映画（主情報）再生中の任意の時点に提供企業のＣＭ（副情報）を挿入し、ＣＭ終了後中断していた映画の再生に復帰することが容易に行え、さらに、ＣＭ（副情報）再生のスキップを禁止する動作と、ＣＭを一定時間再生する動作により、主情報を補足し、あるいは、主情報提供者に関する情報といった重要な副情報を確実にユーザに提供することができる。
【００９２】
（第３の実施形態）
次に、第３の実施形態に係る情報再生装置の構成について説明する。
【００９３】
第１、第２の実施形態は、短編映画タイトル再生の適切なタイミングに提供企業のＣＭを挿入し、しかも利用者によるＣＭのスキップを禁止することができる。しかし、ＣＭの内容はディスク作成時に決定されており、常に最新のＣＭを挿入することはできなかった。第３の実施形態は、この問題を解決するものである。
【００９４】
図１８は、第３の実施形態に係る情報再生装置の全体の構成を概略的に示したものである。なお、図１と同一部分には同一符号を付し、異なる部分について説明する。すなわち、制御装置３は、必要に応じて通信装置１０に対し制御信号を出力することにより制御を行い、通信装置１０では、制御装置１０から所定の制御信号を受け取ると通信ネットワークを介して所定のネットワークサーバ１１にアクセスを行って必要な情報を獲得し、それを情報読取装置２に出力するようになっている。
【００９５】
なお、ネットワークサーバ１１を介して受信された情報を以下ネットワーク情報と呼ぶことがある。
【００９６】
図１９に、第３の実施形態に係る情報再生装置で用いられる記録フォーマットの具体例を示す。
【００９７】
情報記録媒体１の情報の記録フォーマットは、図１９（ａ）に示すように、一定の長さのデータユニットから構成される。データユニットは、一読取単位である。各データユニットには、図１９（ｂ）に示すように３種類ある。すなわち、主情報を格納したデータユニットと副情報を格納したデータユニットと副情報をネットワークを介して取得するためのネットワーク参照情報を格納したデータユニットである。
【００９８】
各データユニットには、主情報、副情報、ネットワーク参照情報を識別するための制御コードを格納する制御コード格納部と主情報データあるいは副情報データを所定の長さ単位に格納する情報格納部から構成される。
【００９９】
ネットワーク参照情報には、例えば、アクセスすべきネットワークサーバ１１のアドレス、情報合成の有無、情報合成方法の指示等が含まれていてもよい。
【０１００】
また、副情報には、再生すべきネットワーク情報の識別情報等が含まれていてもよい。
【０１０１】
図２０は、情報読取装置２の構成例を概略的に示したもので、図３と同一部分には同一符号を付し、異なる部分について説明する。すなわち、さらに、ネットワーク情報入力部２ｄと情報合成部２ｅが追加されている。
【０１０２】
ネットワーク情報入力部（ＮＷ情報入力部）２ｄは、通信装置１０で受信されたネットワークサーバ１１からの情報（主に副情報）を  通信装置１０から受け取り、所定の情報処理等を行って情報合成部２ｅに転送するものである。
【０１０３】
情報合成部２ｅは、制御装置３の制御のもと、ネットワーク情報入力部２ｄから転送されてきた情報を必要に応じてディスク入力部２ａから転送されてきた情報に合成して再生装置４に出力するものである。
【０１０４】
図２１は、制御装置３の構成例を概略的に示したもので、図４とほぼ同様である。異なる部分は、制御信号発生部３ｂで発生された制御信号は、情報読取装置２のほかに通信装置１０にも出力されるようになっている。
【０１０５】
制御装置３から与えられる再生指示には、大きく分けて３種類ある。ディスク再生指示、ＮＷ情報再生指示及び合成情報再生指示である。
【０１０６】
情報合成部２ｅがディスク再生指示を受け取った場合は、ディスク入力部２ａから情報（主情報、副情報）データを読み取り、再生装置４に転送する。
【０１０７】
ＮＷ情報再生指示を受け取った場合、情報合成部２ｅは、ネットワーク情報入力部２ｄからネットワーク情報データを読み取り、再生装置４に転送する。
【０１０８】
合成情報再生指示には情報合成方法の指示が含まれていてもよい。例えば、ディスク入力部２ａの画像データを背景に、ネットワーク情報入力部２ｄからのコンピュータグラフィックス（ＣＧ）画像を再生する等の合成方法が指示されている。
【０１０９】
情報合成部２ｅが合成情報再生指示を受け取ると、情報合成部２ｅはディスク入力部２ａから情報データを読み取り、次いでネットワーク情報入力部２ｄからネットワーク情報データを読み取る。さらに、合成情報再生指示に示される方法でディスク入力部２ａとネットワーク情報入力部２ｄから得られたデータの合成を行う。
【０１１０】
図２２は、通信装置１０の構成例を概略的に示したもので、制御情報入力部１０ａ、ネットワークアクセス部（ＮＷアクセス部）１０ｂから構成される。
【０１１１】
制御情報入力部１０ａは、制御装置３から各種制御指示情報（信号）を受け取ると、所定の情報処理等を行ってネットワークアクセス部１０ｂに転送するものである。
【０１１２】
ネットワークアクセス部１０ｂは制御情報入力部１０ａを介して受け取った制御装置３からの指示に従って、ネットワークを介して情報を受信し、それを情報読取装置２に出力するものである。
【０１１３】
次に、図２３〜図２５に示すフローチャートを参照して、図１８の情報再生装置の動作を説明する。
【０１１４】
ユーザがディスク１を情報読取装置２の所定の位置にセットすると、ディスク入力部２ａは、ディスク１から１データユニットを読み込む（ステップＳ１１０）。
【０１１５】
ディスク入力部２ａが読み込んだデータユニットに含まれる制御コードを制御情報出力部２ｂに転送すると（ステップＳ１１１）、制御情報出力部２ｂはその制御コードを制御装置３に出力する（ステップＳ１１２）。
【０１１６】
制御装置３の動作判定部３ａで制御コードを受け取り（ステップＳ１１３）、その制御コードが副情報コードであるときは（ステップＳ１１４）、ステップＳ１１５に進み、スキップフラグ格納部３ｃに格納されているスキップフラグをセット（ＦＡＬＳＥ）する。すなわち、早送り動作を禁止する。
【０１１７】
一方、それ以外のコード（主情報コードおよびネットワーク参照コード）のときはステップＳ１１６に進む。
【０１１８】
制御コードが主情報コードであるときは（ステップＳ１１６）、ステップＳ１１７に進み、スキップフラグ格納部３ｃに格納されているスキップフラグをリセット（ＴＲＵＥ）する。すなわち、早送り動作可能とする。
【０１１９】
制御コードがネットワーク参照コードのときは、ステップＳ１１８に進み、スキップフラグ格納部３ｃに格納されているスキップフラグをセット（ＦＡＬＳＥ）する。すなわち、早送り動作を禁止する。
【０１２０】
制御コードが副情報コード、主情報コードの場合、動作判定部３ａは制御信号発生部３ｂにディスク再生指示信号の発行を指示し（ステップＳ１１９）、制御信号発生部３ｂは、その指示に応じて発行したディスク再生指示信号を情報読取装置２に出力する（ステップＳ１２０）。
【０１２１】
制御コードがネットワーク参照コードの場合、動作判定部３ａは制御信号発生部３ｂに対し、ネットワーク参照情報に含まれるネットワークサーバ１１のアドレスととともに、ネットワークサーバアクセス指示信号の発行を指示し（ステップＳ１２１）、それを受けて制御信号発生部３ｂから通信装置１０にネットワークサーバアクセス指示信号が出力される（ステップＳ１２２）。
【０１２２】
通信装置１０の制御情報入力部１０ａでネットワークサーバアクセス指示信号が受け取られると（図２４のステップＳ１３０）、さらにネットワークアクセス部１０ｂに転送される（ステップＳ１３１）。
【０１２３】
ネットワークアクセス部１０ｂが、与えられたアドレスのネットワークサーバ１１に所定のネットワークを介して接続すると、接続先のサーバ１１がデータベース１２から所定の情報データを読み出して当該情報再生装置に送信する。この情報データをネットワークアクセス部１０ｂが受信すると（ステップＳ１３２）、その受信データ（ネットワーク情報）は、さらに、情報読取装置２に出力される（ステップＳ１３３）。
【０１２４】
情報読取装置２のネットワーク情報入力部２ｄでは、通信装置１０から出力されたネットワーク情報を受け取ると、それを一時格納する（ステップＳ１３４）。
【０１２５】
その後、適当なタイミングで、例えば、次に読み取られた副情報コードにて識別されるデータユニットにネットワーク情報の識別情報が含まれていたことを契機に制御装置３から情報読取装置２に対し、ネットワーク参照情報に基づきネットワーク再生指示信号あるいは合成情報再生信号のいずれかが出力される。
【０１２６】
さて、情報読取装置２の制御情報入力部２ｃで、制御装置３から出力されたディスク再生指示信号あるいはネットワーク情報再生指示信号あるいは合成情報再生指示信号のいずれかが受け取られると（図２５のステップＳ１４０）、それが制御情報入力部２ｃから情報合成部２ｅに転送される（ステップＳ１４１）。
【０１２７】
情報合成部２ｅでは、受け取った再生指示信号の種類に応じて、ネットワーク情報入力部２ｄに一時格納されたネットワーク情報、ディスク入力部２ａにて読み込まれた主情報・副情報を読み込み、それらを再生指示信号の種類に応じて合成等行って（ステップＳ１４２）、再生装置４に出力する（ステップＳ１４３）。
【０１２８】
ネットワーク・アクセスにはディスク読みとりよりも時間がかかる場合があるので、ネットワークサーバアクセスを指示するためのネットワーク参照コードを含むデータユニットは、ネットワーク情報が実際に要求される副情報の位置よりも、十分前に配置することが望ましい。
【０１２９】
なお、アクセス先のネットワークサーバのアドレスは、予め制御信号発生部３ｂの内部に格納されていてもよい。この場合、図２３のステップＳ１２１で動作判定部３ａから制御信号発生部３ｂにネットワークサーバアクセス指示信号の発行が指示されたとき、制御信号発生部３ｂから通信装置１０に対し出力されるネットワークサーバアクセス指示信号にはアクセス先のネットワークサーバのアドレスが含まれているとしてもよい。
【０１３０】
さて、ネットワークサーバー１１から情報再生装置に保持されている情報を変更したい場合がある。例えば、情報再生装置がネットワークサーバー参照コードを読み込んだ際に、予め制御信号発生部３ｂに記憶されているアクセス先のサーバーのアドレスを変更する場合などである。実際、多数の情報再生装置が同一のネットワークサーバー１１にアクセスすると通信回線とサーバー装置に大きな負荷がかかる。この負荷を分散させるため、ネットワーク情報の読み取り先を変更する必要性がでてくるであろう。
【０１３１】
次に、図１８の情報再生装置において、予め装置内に保持されているアクセス先のネットワークサーバのアドレスを変更する処理動作を図２６に示すフローチャートを参照して説明する。
【０１３２】
既に述べたように（図２４のステップＳ１３２）、ディスク１上のネットワークサーバー参照コードを契機として、情報読取装置２のネットワーク情報入力部２ｄにはサーバー１１から転送されてきたネットワーク情報データが格納されている。このデータ中にアクセス先のサーバの変更を指示するサーバー変更コードと新しいアクセス先のサーバーのアドレスが記述されていてもよい。
【０１３３】
そして、ネットワーク情報入力部２ｄでは、ネットワーク情報を受け取った際に、その中にサーバ変更コードが含まれているか否かをチェックする（ステップＳ１５０）。含まれている場合は、制御情報出力部２ｂにサーバ変更コードと新たなアドレスを転送し（ステップＳ１５１）、それを受けて制御情報出力部２ｂから制御装置３に対しサーバ変更コードと新たなアクセス先のサーバのアドレスが出力されると（ステップＳ１５２）、制御装置３の動作判定部３ａは、これを受けて（ステップＳ１５３）、制御信号発生部３ｂにすでに格納されているアクセス先のサーバのアドレスを新たなアドレスに更新する（ステップＳ１５４）。
【０１３４】
ユーザがＧＵＩ５を介して「ディスク早送り」の指示を出したときの図２０の情報再生装置の動作は図７に示すフローチャートと同様である。
【０１３５】
以上、説明したように、上記第３の実施形態によれば、ディスク１上のデータユニットに含まれる制御コードを制御装置３の動作判定部３ａにてチェックを行い、情報読取装置２に対し、制御コードの種別に応じてディスク１上の情報（主情報あるいは副情報）の再生、ネットワークを介して獲得された情報（副情報）の再生、これらの合成情報の再生を指示することにより、主情報を補足し、あるいは、主情報提供者に関する情報といった重要な副情報を確実にユーザに提供することができるとともに、ディスク１の再生中に必要に応じてアップトゥデートな情報を含む広告（副情報）の表示が容易に行える。
【０１３６】
（第４の実施形態）
次に、第４の実施形態に係る情報再生装置の構成について説明する。
【０１３７】
図２７は、第４の実施形態に係る情報再生装置の全体の構成を概略的に示したものである。なお、図１８と同一部分には同一符号を付し、異なる部分について説明する。すなわち、図１８の通信装置１０が受信装置２０に置き換えられている。
【０１３８】
受信装置２０は、制御装置２０は、制御装置３から指示された日時、曜日、時刻、チャンネル等に応じて所定の放送局、放送衛星等からの放送信号を受信し、それを放送情報として情報読取装置２に出力するものである。
【０１３９】
図２８に、第４の実施形態に係る情報再生装置で用いられる記録フォーマットの具体例を示す。
【０１４０】
情報記録媒体１の情報の記録フォーマットは、図２８（ａ）に示すように、一定の長さのデータユニットから構成される。データユニットは、一読取単位である。各データユニットには、図２８（ｂ）に示すように３種類ある。すなわち、主情報を格納したデータユニットと副情報を格納したデータユニットと放送番組を受信する際に必要な情報（受信番組情報）を格納したデータユニットである。
【０１４１】
各データユニットには、主情報、副情報、受信番組情報を識別するための制御コードを格納する制御コード格納部と主情報データ、副情報データ、受信番組情報を所定の長さ単位に格納する情報格納部から構成される。
【０１４２】
受信番組情報には、例えば、再生すべき放送情報の識別情報（番組ＩＤ）が１または複数含まれている。
【０１４３】
この場合、受信装置２０は、例えば、所定の広告専用放送に予め同調しているものとする。放送信号として受信されて得られる放送情報には、図２８（ｃ）に示すように、番組ＩＤが含まれている。
【０１４４】
また、副情報コードあるいは副情報には、放送情報の再生を指示するための放送情報参照コード、再生すべき放送情報の番組ＩＤ等が含まれていてもよい。
【０１４５】
図２９は、情報読取装置２の構成例を概略的に示したもので、図２０と同一部分には同一符号を付し、異なる部分について説明する。すなわち、情報合成部２ｅが情報選択部２ｆに置き換わり、ネットワーク情報入力部２ｄが放送情報入力部２ｇに置き換わっている。
【０１４６】
放送情報入力部２ｇは、受信装置２０で受信された放送情報を受信装置２０から受け取り、所定の情報処理等を行って情報選択部２ｆに転送するものである。
【０１４７】
情報選択部２ｆは、制御装置３の制御のもと、放送情報入力部２ｇに入力された放送情報、ディスク入力部２ａでディスク１から読み取られた情報のいづれか一方を選択するものである。
【０１４８】
図３０は、制御装置３の構成例を概略的に示したもので、図４とほぼ同様である。異なる部分は、制御信号発生部３ｂで発生された制御信号は、情報読取装置２のほかに受信装置２０にも出力されるようになっている。
【０１４９】
図３１は、受信装置２０の構成例を概略的に示したもので、制御信号入力部２０ａ、受信部２０ｂ、番組選択部２０ｃから構成される。
【０１５０】
制御情報入力部２０ａは、制御装置３からの制御指示信号（制御情報）を受け取り、それを受信部２０ｂおよび番組選択部２０ｃにそれぞれ転送するようになっている。
【０１５１】
受信部２０ｂは、予め所定の広告専用放送に予め同調していて、制御情報入力部２０ａを介して制御装置３から転送されてくる受信開始指示信号を受けて、その放送信号を受信し、番組選択部２０ｃに放送情報を転送するようになっている。
【０１５２】
番組選択部２０ｃは、制御情報入力部２０ａを介して制御装置３から転送されてくる受信番組情報に基づき、受信部２０ｂから転送されてくる放送情報を選択して情報読取装置２出力するようになっている。
【０１５３】
番組選択部２０ｃは、例えば、受信番組情報に含まれる番組ＩＤを番組選択リストとして記憶しておき、放送情報の選択を行うようにしてもよい。
【０１５４】
選択番組リストに記憶された番組ＩＤの一つが「０１００３＊＊＊」であったとする。この時、受信部２０ｂで受信された、番組ＩＤ「０１００３２１１」である放送情報は情報読取装置２に出力される。
【０１５５】
次に、図３２〜図３４に示すフローチャートを参照して、図２７の情報再生装置の動作を説明する。
【０１５６】
ユーザがディスク１を情報読取装置２の所定の位置にセットすると、ディスク入力部２ａは、ディスク１から１データユニットを読み込む（ステップＳ１６０）。
【０１５７】
ディスク入力部２ａが読み込んだデータユニットに含まれる制御コードを制御情報出力部２ｂに転送すると（ステップＳ１６１）、制御情報出力部２ｂはその制御コードを制御装置３に出力する（ステップＳ１６２）。
【０１５８】
制御装置３の動作判定部３ａで制御コードを受け取り（ステップＳ１６３）、その制御コードが受信番組コードであるときは（ステップＳ１６４）、ステップＳ１６５に進み、動作判定部３ａは制御信号発生部３ｂを介して、データユニットに含まれる受信番組情報を受信装置２０に出力する（ステップＳ１６５〜ステップＳ１６６）。
【０１５９】
受信装置２０の制御情報入力部２０ａで受信番組情報が受け取られると、さらに番組選択部２０ｃに転送される（図３３のステップＳ１６７〜ステップＳ１６８）。
【０１６０】
番組選択部２０ｃは、与えられた受信番組情報をに含まれる番組ＩＤ等を番組選択リストとして記憶しておく（ステップＳ１６９）。
【０１６１】
その後、適当なタイミングで、制御情報入力部２０ａを介して制御装置３から放送受信開始の指示信号が受信部２０ｂに入力されて放送信号の受信が開始される（ステップＳ１７０）。
【０１６２】
番組選択部２０ｃでは、受信部２０ｂから放送情報が転送されてくる度に、その中に含まれる番組ＩＤが番組選択リストに含まれているか否かをチェックする（ステップＳ１７１〜ステップＳ１７２）。そして、番組選択リストに含まれている番組ＩＤをもつ放送情報のみが番組選択部２０ｃで選択されて情報読取装置２に出力され、放送情報入力部２ｇで受け取られる（ステップＳ１７３〜ステップＳ１７４）。
【０１６３】
一方、図３２のステップＳ１６４において、制御コードが主情報コードあるいは副情報コードのときは、図３４のステップＳ１８０に進む。
【０１６４】
制御コードが副情報コードであるとき、スキップフラグ格納部３ｃに格納されているスキップフラグをセット（ＦＡＬＳＥ）する。すなわち、早送り動作を禁止する（ステップＳ１８０ａ）。
【０１６５】
制御コードが主情報コードであるとき、ステップＳ１１７に進み、スキップフラグ格納部３ｃに格納されているスキップフラグをリセット（ＴＲＵＥ）する。すなわち、早送り動作可能とする（ステップＳ１８０ｂ）。
【０１６６】
制御コードが副情報コードであるとき、さらに、制御コード内あるいは副情報内に放送情報参照コードが含まれているか否かをチェックする（ステップＳ１８１）。
【０１６７】
放送情報参照コードが含まれているときは、動作判定部３ａは、制御信号発生部３ｂを介して、放送情報の再生指示信号とともに、例えば副情報に含まれていた番組ＩＤを情報読取装置２に出力する（ステップＳ１８２、ステップＳ１８３）。
【０１６８】
制御コードが副情報コードおよび放送情報参照コードを含まない副情報コードのときは、動作判定部３ａは、制御信号発生部３ｂを介して、ディスク１上に記録された情報の再生指示信号（ディスク再生指示信号）を情報読取装置２に出力する（ステップＳ１８４〜ステップＳ１８５）。
【０１６９】
情報読取装置２の制御情報入力部２ｃを介して情報選択部２ｆが放送情報再生指示信号あるいはディスク再生指示信号を受け取ると（ステップＳ１８６〜ステップＳ１８７）、その再生指示信号に応じて、放送情報入力部２ｇ、ディスク入力部２ａのいずれかからの情報を選択し（ステップＳ１８８）、その選択された情報を再生装置４に出力する（ステップＳ１８９）。
【０１７０】
次に、受信装置２０の他の構成例について、図３５を参照して説明する。図３５では、図３１に示した構成例における番組選択部２０ｃが番組予約部２０ｄに置き換わっている。
【０１７１】
この場合、受信番組情報には、次のような情報を含み、例えば、１つの番組ＩＤについて毎週定期的に放送されている放送番組（例えば、広告）が指定される。
【０１７２】
（番組ＩＤ、（チャンネル、曜日、開始時刻：終了時刻）、（チャンネル、曜日、開始時刻：終了時刻）、…    ）
番組予約部２０ｄは、このような受信番組情報を前述したように、情報読取装置２から制御装置３を介して受け取って、番組予約リストとして記憶すると、その内容に従って、指定された番組の放送信号を受信し、それを情報読取装置２の放送情報入力部２ｇに転送するようになっている。
【０１７３】
表層情報入力部２ｇでは、受信装置２０から転送されてきた放送情報を蓄積しておく。
【０１７４】
次に、図３６に示すフローチャートを参照して図３５に示したような構成の受信装置の動作を説明する。
【０１７５】
図３２のステップＳ１６６で制御信号発生部３ｂから受信装置２０に出力された受信番組情報を受信装置２０の制御信号入力部２０ａで受け取られると（ステップＳ１９５）、さらに、番組予約部２０ｄに転送されて（ステップＳ１９６）、その内容が番組予約リストに記憶される（ステップＳ１９７）。
【０１７６】
その後、番組予約部２０は受信部２０ｂに対し、番組予約リストに記憶された予約された時刻、チャンネル等に従って、受信番組情報にて予約された全ての番組の放送信号の受信指示、受信中止指示を行う。受信部２０ｂは、番組予約部２０ｄから受信中止指示を受け取るまで、指示された放送信号を受信して、それを情報読取装置２に出力する（ステップＳ１９８〜ステップＳ２０１）。
【０１７７】
情報読取装置２の放送情報入力部２ｇは、受信装置２０から送られてきた放送情報を蓄積するようになっている（ステップＳ２０２）。以後の動作は、前述のステップＳ１６０〜１６４（図３２）、ステップＳ１８０〜ステップＳ１８９（図３４）と同様である。
【０１７８】
前述したように、副情報コードには放送情報参照コードが含まれる場合がある。これは、放送情報入力部２ｇから当該ＩＤを有する番組を選択し、それを再生する指示と解釈される。副情報コードに放送情報参照コードが含まれ、さらに、例えば、副情報中に参照すべき番組ＩＤが指定された場合、当該ＩＤに対応する放送情報が既に受信されていて、放送情報入力部２ｇに蓄積されていなければならない。このため各放送情報は十分に短い周期で繰り返し放送されているものとする。更に、このことを確実にするため、放送周期の長い広告ほど、ディスク再生時間が経過してから参照される様にする事もできる。また、放送情報入力部２ｇに当該ＩＤを持つ放送情報が格納されていない場合、副情報データとして、代わりに再生するディスク上の広告を指定することも可能であろう。
【０１７９】
ユーザがＧＵＩ５を介して「ディスク早送り」の指示を出したときの図２７の情報再生装置の動作は図７に示すフローチャートと同様である。
【０１８０】
以上、説明したように、上記第４の実施形態によれば、ディスク１上のデータユニットに含まれる制御コードを制御装置３の動作判定部３ａにてチェックを行い、情報読取装置２に対し、制御コードの種別に応じてディスク１上の情報（主情報あるいは副情報）の再生、受信装置２０で受信された放送情報の再生を指示することにより、主情報を補足し、あるいは、主情報提供者に関する情報といった重要な副情報（例えば、広告）を確実にユーザに提供することができるとともに、ディスク１の再生中に必要に応じてアップトゥデートな情報を含む広告（副情報）の表示が容易に行える。
【０１８１】
【発明の効果】
以上説明したように、本発明によれば、情報記録媒体に記録されている映画等の主情報の再生時に、同じく情報記録媒体に記録されている主情報を補足し、あるいは、主情報提供者に関する情報といった重要な副情報を確実にユーザに提供することができる。従って、ＤＶＤ等の情報記録媒体の低価格化が図れる。
【図面の簡単な説明】
【図１】本発明の第１の実施形態に係る情報再生装置の構成を概略的に示した図。
【図２】情報記録媒体の記録フォーマットの一例を示した図。
【図３】情報読取装置の構成例を概略的に示した図。
【図４】制御装置の構成例を概略的に示した図。
【図５】図１の情報再生装置の動作を説明するためのフローチャート。
【図６】図１の情報再生装置の動作を説明するためのフローチャート。
【図７】図１の情報再生装置の動作を説明するためのフローチャート。
【図８】本発明の第２の実施形態に係る情報再生装置に用いられる情報記録媒体の記録フォーマットの一例を示した図。
【図９】第２の実施形態に係る制御装置の構成例を概略的に示した図。
【図１０】第２の実施形態に係る情報再生装置の動作（アクションの実行形態１）を説明するためのフローチャート。
【図１１】ディスクセットされた際のＧＵＩの表示画面の一例を示した図。
【図１２】第２の実施形態に係る情報再生装置の動作（アクションの終了形態１、アクションの実行形態２）を説明するためのフローチャート。
【図１３】第２の実施形態に係る情報再生装置の動作（アクションの終了形態２）を説明するためのフローチャート。
【図１４】第２の実施形態に係る情報再生装置の動作（主情報の再生、アクションの実行形態３）を説明するためのフローチャート。
【図１５】第２の実施形態に係る情報再生装置の動作（主情報の再生）を説明するためのフローチャート。
【図１６】第２の実施形態に係る情報再生装置の動作（アクションの終了形態３）を説明するためのフローチャート。
【図１７】第２の実施形態に係る情報再生装置の動作（早送り指示を受けたときの動作）を説明するためのフローチャート。
【図１８】本発明の第３の実施形態に係る情報再生装置の構成例を概略的に示した図。
【図１９】図１８の情報再生装置に用いられる情報記録媒体の記録フォーマットの一例を示した図。
【図２０】情報読取装置の構成例を概略的に示した図。
【図２１】制御装置の構成例を概略的に示した図。
【図２２】通信装置の構成例を概略的に示した図。
【図２３】図１８の情報再生装置の動作を説明するためのフローチャート。
【図２４】図１８の情報再生装置の動作（主に、通信装置の動作）を説明するためのフローチャート。
【図２５】図１８の情報再生装置の動作（主に、情報読取装置の動作）を説明するためのフローチャート。
【図２６】制御装置の制御信号発生部に格納されるアクセス先のサーバアドレスの変更処理を説明するためのフローチャート。
【図２７】本発明の第４の実施形態に係る情報再生装置の構成例を概略的に示した図。
【図２８】第４の実施形態に係る情報再生装置に用いられる情報記録媒体の記録フォーマットの一例を示した図。
【図２９】情報読取装置の構成例を示した図。
【図３０】制御装置の構成例を示した図。
【図３１】受信装置の構成例を示した図。
【図３２】図２７の情報再生装置の動作（主に、情報読取装置と制御装置の動作）を説明するためのフローチャート。
【図３３】図２７の情報再生装置の動作（主に、受信装置の動作）を説明するためのフローチャート。
【図３４】図２７の情報再生装置の動作（主に、制御装置と情報読取装置の動作）を説明するためのフローチャート。
【図３５】受信装置の他の構成例を示した図。
【図３６】図３５の受信装置の動作を説明するためのフローチャート。
【符号の説明】
１…情報記録媒体（ディスク）、２…情報読取装置、３…制御装置、４…再生装置、５…ＧＵＩ（Ｇｒａｐｈｉｃａｌ  Ｕｓｅｒ  Ｉｎｔｅｒｆａｃｅ）。
【図１】
0003561094.tif 000003
【図２】
0003561094.tif 000004
【図３】
0003561094.tif 000005
【図４】
0003561094.tif 000006
【図５】
0003561094.tif 000007
【図６】
0003561094.tif 000008
【図７】
0003561094.tif 000009
【図８】
0003561094.tif 000010
【図９】
0003561094.tif 000011
【図１０】
0003561094.tif 000012
【図１１】
0003561094.tif 000013
【図１２】
0003561094.tif 000014
【図１３】
0003561094.tif 000015
【図１４】
0003561094.tif 000016
【図１５】
0003561094.tif 000017
【図１６】
0003561094.tif 000018
【図１７】
0003561094.tif 000019
【図１８】
0003561094.tif 000020
【図１９】
0003561094.tif 000021
【図２０】
0003561094.tif 000022
【図２１】
0003561094.tif 000023
【図２２】
0003561094.tif 000024
【図２３】
0003561094.tif 000025
【図２４】
0003561094.tif 000026
【図２５】
0003561094.tif 000027
【図２６】
0003561094.tif 000028
【図２７】
0003561094.tif 000029
【図２８】
0003561094.tif 000030
【図２９】
0003561094.tif 000031
【図３０】
0003561094.tif 000032
【図３１】
0003561094.tif 000033
【図３２】
0003561094.tif 000034
【図３３】
0003561094.tif 000035
【図３４】
0003561094.tif 000036
【図３５】
0003561094.tif 000037
【図３６】
0003561094.tif 000038